(57)【要約】【目的】  本発明の目的は、挿入口から塵や埃の侵入を防止することができる接続装置を提供する。【構成】  接続装置は、２本のリード端子１２が挿脱可能な挿入口１３１ａを有するボディ１００と、このボディ１００に収容され且つ２本のリード端子１２に各々接触可能な２つのコンタクト２００と、ボディ１００の挿入口１３１ａを開閉するための２枚のシャッタ３００とを備え、ボディ１００は、本体部１１０と、この本体部１１０の水平部上に設けられ、２つのコンタクト１００を収容する収容部１２０と、この収容部１２０に上下方向に移動自在に取り付けられる操作部材１３０とを有し、この操作部材１３０の移動により２枚のシャッタ３００が挿入口１３１ａを開閉するようになっている。【選択図】      図４
2008198479.tif 000002
【特許請求の範囲】
【請求項１】
電子部品のリード端子が挿脱可能な挿入口が設けられた第１の壁部を有するボディと、
このボディの内部に収容されており且つ前記挿入口から挿入された前記リード端子に接触可能なコンタクトと、
前記挿入口を開閉可能なシャッタと、
少なくとも前記シャッタの開閉を操作するための操作部材と、を備えており、
前記ボディは、前記第１の壁部と交差する第２の壁部を更に有し、
前記操作部材は、前記コンタクトを挟んで前記第２の壁部に対向するように前記ボディに設けられており且つ当該第２の壁部に沿って第１の位置から第２の位置にかけて移動自在にされており、
前記操作部材の第２の壁部対向面には、当該操作部材の移動方向に対して略直交する方向に向いた長尺体であり且つ前記シャッタの先端部を移動自在にガイドする第１のガイド部が設けられており、
前記ボディの第２の壁部の操作部材対向面には、前記第１のガイド部に対向すると共に、当該第１のガイド部に対して斜め方向に向いた長尺体であり且つ前記シャッタの後端部を移動自在にガイドする第２のガイド部が設けられており、
前記操作部材が第１の位置に位置したとき、前記シャッタの先端部が前記第１のガイド部の長さ方向の一端部に位置すると共に、前記シャッタの後端部が前記第２のガイド部の長さ方向の一端部に位置することにより、当該シャッタが前記挿入口を閉塞するようになっており、
前記操作部材が第２の位置に位置したとき、前記シャッタの先端部が前記第１のガイド部の長さ方向の他端部に位置すると共に、前記シャッタの後端部が前記第２のガイド部の長さ方向の他端部に位置することにより、当該シャッタが前記挿入口を開放するようになっていることを特徴とする接続装置。
【請求項２】
請求項１記載の接続装置において、
２枚の前記シャッタを有しており、
前記ボディの第２の壁部の操作部材対向面には、２つの前記第２のガイド部が略対称に配設されており、
前記第１のガイド部は、前記２枚のシャッタの先端部を各々移動自在にガイドするようになっており、
前記２つの第２のガイド部は、前記２枚のシャッタの後端部を各々移動自在にガイドするようになっており、
前記操作部材が第１の位置に位置したとき、前記２枚のシャッタの先端部が前記第１のガイド部の中間部に各々位置すると共に、前記２枚のシャッタの後端部が前記２つの第２のガイド部の長さ方向の一端部に各々位置することにより、当該シャッタが前記挿入口を閉塞するようになっており、
前記操作部材が第２の位置に位置したとき、前記２枚のシャッタの先端部が前記第１のガイド部の長さ方向の両端部に各々位置すると共に、前記２枚のシャッタの後端部が前記２つの第２のガイド部の長さ方向の他端部に各々位置することにより、当該シャッタが前記挿入口を開放するようになっていることを特徴とする接続装置。
【請求項３】
電子部品のリード端子が挿脱可能な挿入口が設けられた第１の壁部を有するボディと、
このボディの内部に収容されており且つ前記挿入口から挿入された前記リード端子と接触可能なコンタクトと、
前記挿入口を開閉可能なシャッタと、
少なくとも前記シャッタの開閉を操作するための操作部材と、を備えており、
前記ボディは、前記第１の壁部と交差する第２の壁部を更に有し、
前記操作部材は、前記コンタクトを挟んで前記第２の壁部に対向するように前記ボディ
に設けられており且つ当該第２の壁部に沿って第１の位置から第２の位置にかけて移動自在にされており、
前記ボディの第２の壁部の操作部材対向面には、当該操作部材の移動方向に対して略直交する方向に向いた長尺体であり且つ前記シャッタの先端部を移動自在にガイドする第１のガイド部が設けられており、
前記操作部材の第２の壁部対向面には、前記第１のガイド部に対向すると共に、当該第１のガイド部に対して斜め方向に向いた長尺体であり且つ前記シャッタの後端部を移動自在にガイドする第２のガイド部が設けられており、
前記操作部材が第１の位置に位置したとき、前記シャッタの先端部が前記第１のガイド部の長さ方向の一端部に位置すると共に、前記シャッタの後端部が前記第２のガイド部の長さ方向の一端部に位置することにより、当該シャッタが前記挿入口を閉塞するようになっており、
前記操作部材が第２の位置に位置したとき、前記シャッタの先端部が前記第１のガイド部の長さ方向の他端部に位置すると共に、前記シャッタの後端部が前記第２のガイド部の長さ方向の他端部に位置することにより、当該シャッタが前記挿入口を開放するようになっていることを特徴とする接続装置。
【請求項４】
請求項１記載の接続装置において、
２枚の前記シャッタを有しており、
前記操作部材の第２の壁部対向面には、２つの前記第２のガイド部が略対称に配設されており、
前記第１のガイド部は、前記２枚のシャッタの先端部を各々移動自在にガイドするようになっており、
前記２つの第２のガイド部は、前記２枚のシャッタの後端部を各々移動自在にガイドするようになっており、
前記操作部材が第１の位置に位置したとき、前記２枚のシャッタの先端部が前記第１のガイド部の中間部に各々位置すると共に、前記２枚のシャッタの後端部が前記２つの第２のガイド部の長さ方向の一端部に各々位置することにより、当該シャッタが前記挿入口を閉塞するようになっており、
前記操作部材が第２の位置に位置したとき、前記２枚のシャッタの先端部が前記第１のガイド部の長さ方向の両端部に各々位置すると共に、前記２枚のシャッタの後端部が前記２つの第２のガイド部の長さ方向の他端部に各々位置することにより、当該シャッタが前記挿入口を開放するようになっていることを特徴とする接続装置。
【請求項５】
請求項２又は４記載の接続装置において、
前記２枚のシャッタが前記挿入口を閉塞した状態で、当該シャッタの隣り合う端部同士が重なり合うようになっていることを特徴とする接続装置。
【請求項６】
請求項２又は４記載の接続装置において、
前記コンタクトは、リード端子接続用の第１の接続部と、基板接続用の第２の接続部とを有しており、
前記第１の接続部は、固定片と、弾性変形可能な可動片とを有しており、
この可動片は、前記固定片と間に前記リード端子を挿脱するための空間を有する把持部と、この把持部に連続し且つ前記固定片から離れる方向に屈曲又は湾曲した屈曲部又は湾曲部とを有しており、
前記操作部材の第２の壁部対向面には、片部材が設けられており、
この片部材は、前記操作部材が第１の位置に位置したとき、前記屈曲部又は湾曲部を前記固定片に向けて押圧し、前記操作部材が第２の位置に位置したとき、前記屈曲部又は湾曲部の押圧を解除するようになっており、
前記屈曲部又は湾曲部が前記片部材に押圧されると、前記把持部が前記固定片に近づく
方向に移動して前記空間が閉じ、前記把持部と前記固定片との間で前記リード端子を挟持するようになっていることを特徴とする接続装置。
【請求項７】
前記電子部品が２つのリード端子を有する請求項２又は４記載の接続装置において、
２つの前記コンタクトが前記第１のガイド部の長さ方向に並べて配置されており、
前記操作部材の第２の壁部対向面には、２つの片部材が設けられており、
前記コンタクトは、リード端子接続用の第１の接続部と、基板接続用の第２の接続部とを有しており、
前記第１の接続部は、固定片である固定片と、弾性変形可能な可動片である可動片とを有しており、
この可動片は、前記固定片との間に前記リード端子を挿脱するための空間が設けられた把持部と、この把持部に連続し且つ前記固定片から離れる方向に屈曲又は湾曲した屈曲部又は湾曲部とを有しており、
一方の片部材は、前記操作部材が第１の位置に位置したとき、一方のコンタクトの可動片の屈曲部又は湾曲部を当該一方のコンタクトの固定片に向けて押圧し、前記操作部材が第２の位置に位置したとき、前記屈曲部又は湾曲部の押圧を解除するようになっており、
他方の片部材は、前記操作部材が第１の位置に位置したとき、他方のコンタクトの可動片の屈曲部又は湾曲部を当該他方のコンタクトの固定片に向けて押圧し、前記操作部材が第２の位置に位置したとき、前記屈曲部又は湾曲部の押圧を解除するようになっており、
前記屈曲部又は湾曲部が前記片部材に各々押圧されると、前記把持部が前記固定片に近づく方向に移動して前記空間が閉じ、前記把持部と前記固定片との間で前記リード端子を挟持するようになっていることを特徴とする接続装置。
【請求項８】
請求項６又は７記載の接続装置において、２つの前記固定片が、前記可動片の両側に配設されていることを特徴とする接続装置。
【請求項９】
請求項６又は７記載の接続装置において、２つの前記可動片が、前記固定片の両側に配設されていることを特徴とする接続装置。
【請求項１０】
請求項６又は７記載の接続装置において、前記ボディは、前記コンタクトの第２の接続部を前記基板の回路パターンに接触可能に突出させるための開放部と、この開放部の縁部に前記第２の接続部の突出方向に向けて設けられており且つ前記基板に係止される係止爪とを有することを特徴とする接続装置。
【請求項１１】
請求項１０記載の接続装置において、前記コンタクトの第２の接続部は前記基板の回路パターンに弾性接触可能な形状になっていることを特徴とする接続装置。
【請求項１２】
請求項１０記載の接続装置において、前記コンタクトの第２の接続部は前記基板のスルーホールに挿入可能な直線状の部位であることを特徴とする接続装置。
【請求項１３】
請求項６又は７記載の接続装置において、前記コンタクトの第２の接続部はリード線が圧着可能な形状になっていることを特徴とする接続装置。
【請求項１４】
請求項１、２、３又は４記載の接続装置において、
前記ボディは、前記コンタクトを収容する収容部を有しており、
前記操作部材は、前記収容部を覆うように設けられ、前記ボディの一部をなすカバーであって、前記第１壁部を有していることを特徴とする接続装置。
【請求項１５】
請求項１、２、３又は４記載の接続装置において、
前記ボディの第２の壁部には、前記第１の壁部の挿入口に連続し且つ前記電子部品が収
容される収容凹部が設けられており、
前記シャッタは、前記挿入口を開閉する第１のシャッタ部と、この第１のシャッタ部に略直交するように設けられており且つ前記収容凹部を開閉可能な第２のシャッタ部とを有していることを特徴とする接続装置。
【発明の詳細な説明】
【技術分野】
【０００１】
本発明は、熱陰極蛍光ランプや冷陰極蛍光ランプ等の電子部品のリード端子が電気接続される接続装置に関する。
【背景技術】
【０００２】
この種の接続装置としては、ボディに電子部品のリード端子が挿脱可能な挿入口を設け、前記ボディに収容されるコンタクトの第１の接続部に前記リード端子を弾性的に挟持させるようにしたものがある。
【０００３】
例えば、第１の接続装置としては、前記第１の接続部が、固定片と、湾曲しており且つ前記固定片が挿入される矩形状の孔部が設けられた可動片とを有しており、前記可動片が押圧操作されることにより、前記孔部の壁面と前記固定片との間に隙間が生じ、この隙間に前記リード端子を挿入して挟持させるようにしたものがある(特許文献１参照)。
【０００４】
第２の接続装置としては、前記第１の接続部が、ボディの収容部に装着される固定金具と、この固定金具の上端面に対して上下動可能にされた略逆く字状の可動片と、この可動片を動作させるための操作部材とを有しており、操作部材により前記可動片が押下されると、当該可動片の先端部と固定金具の上端面との間に隙間が生じ、当該隙間に前記リード端子を挿入して挟持させるようにしたものある(特許文献２参照)
【０００５】
第３の接続装置としては、前記コンタクトが、ボディに収容されるコイルスプリングであり、このコイルスプリングを圧縮させ、当該コイルスプリングの一端部とボディの内壁面との間に形成された隙間に前記リード端子を挿入して挟持させるようにしたものがある(特許文献３参照)
【０００６】
【特許文献１】実開平０６−１７１２３号公報
【特許文献２】特開２００３−７７５５８号公報
【特許文献３】特開平０９−９２０１８号公報
【発明の開示】
【発明が解決しようとする課題】
【０００７】
ところが、これらの接続装置は、前記挿入口が常時開放されているため、当該挿入口から塵や埃が入り込み易く、当該塵や埃により前記コンタクトの接触不良やショート等の不具合が生じる問題を有している。
【０００８】
本発明は、上記事情に鑑みて創案されたものであって、その目的とするところは、挿入口から塵や埃の侵入を防止することができる接続装置を提供することにある。
【課題を解決するための手段】
【０００９】
上記課題を解決するために、本発明の第１の接続装置は、電子部品のリード端子が挿脱可能な挿入口が設けられた第１の壁部を有するボディと、このボディの内部に収容されており且つ前記挿入口から挿入された前記リード端子と接触可能なコンタクトと、前記挿入口を開閉可能なシャッタと、少なくとも前記シャッタの開閉を操作するための操作部材と、を備えており、前記ボディは、前記第１の壁部と交差する第２の壁部を更に有し、前記操作部材は、前記コンタクトを挟んで前記第２の壁部に対向するように前記ボディに設けられており且つ当該第２の壁部に沿って第１の位置から第２の位置にかけて移動自在にされており、前記操作部材の第２の壁部対向面には、当該操作部材の移動方向に対して略直
交する方向に向いた長尺体であり且つ前記シャッタの先端部を移動自在にガイドする第１のガイド部が設けられており、前記ボディの第２の壁部の操作部材対向面には、前記第１のガイド部に対向すると共に、当該第１のガイド部に対して斜め方向に向いた長尺体であり且つ前記シャッタの後端部を移動自在にガイドする第２のガイド部が設けられており、前記操作部材が第１の位置に位置したとき、前記シャッタの先端部が前記第１のガイド部の長さ方向の一端部に位置すると共に、前記シャッタの後端部が前記第２のガイド部の長さ方向の一端部に位置することにより、当該シャッタが前記挿入口を閉塞するようになっており、前記操作部材が第２の位置に位置したとき、前記シャッタの先端部が前記第１のガイド部の長さ方向の他端部に位置すると共に、前記シャッタの後端部が前記第２のガイド部の長さ方向の他端部に位置することにより、当該シャッタが前記挿入口を開放するようになっている。
【００１０】
即ち、前記操作部材が第１の位置から第２の位置にかけて移動操作されると、前記シャッタの先端部が前記第１のガイド部の長さ方向の一端部から他端部にかけて移動すると共に、前記シャッタの後端部が前記第２のガイド部の長さ方向の一端部から他端部にかけて移動する。これにより、前記シャッタが前記挿入口を閉開するようになっている。このため、前記シャッタを開状態にして前記リード端子を前記挿入口に挿入し、その後、前記操作部材を操作して前記シャッタを閉状態にしておけば、前記挿入口からの塵や埃の侵入を防止することができる。
【００１１】
この第１の接続装置は、２枚の前記シャッタを有し、前記ボディの第２の壁部の操作部材対向面に２つの前記第２のガイド部が略対称に配設された構成とすることができる。この場合、前記第１のガイド部は、前記２枚のシャッタの先端部を各々移動自在にガイドするようになっており、前記２つの第２のガイド部は、前記２枚のシャッタの後端部を各々移動自在にガイドするようになっており、前記操作部材が第１の位置に位置したとき、前記２枚のシャッタの先端部が前記第１のガイド部の中間部に各々位置すると共に、前記２枚のシャッタの後端部が前記２つの第２のガイド部の長さ方向の一端部に各々位置することにより、当該シャッタが前記挿入口を閉塞するようになっており、前記操作部材が第２の位置に位置したとき、前記２枚のシャッタの先端部が前記第１のガイド部の長さ方向の両端部に各々位置すると共に、前記２枚のシャッタの後端部が前記２つの第２のガイド部の長さ方向の他端部に各々位置することにより、当該シャッタが前記挿入口を開放するようになっている。
【００１２】
即ち、前記操作部材が第１の位置から第２の位置にかけて移動操作されると、前記２枚のシャッタの先端部が前記第１のガイド部の中間部から両端部にかけて各々移動すると共に、前記２枚のシャッタの後端部が前記２つの第２のガイド部の長さ方向の一端部から他端部にかけて各々移動する。これにより、前記２枚のシャッタが前記挿入口を閉開するようになっている。このような接続装置による場合も、前記２枚のシャッタを開状態にして前記リード端子を前記挿入口に挿入し、その後、前記操作部材を操作して前記２枚のシャッタを閉状態にしておけば、前記挿入口からの塵や埃の侵入を防止することができる。
【００１３】
本発明の第２の接続装置は、電子部品のリード端子が挿脱可能な挿入口が設けられた第１の壁部を有するボディと、このボディの内部に収容されており且つ前記挿入口から挿入された前記リード端子と接触可能なコンタクトと、前記挿入口を開閉可能なシャッタと、少なくとも前記シャッタの開閉を操作するための操作部材と、を備えており、前記ボディは、前記第１の壁部と交差する第２の壁部を更に有し、前記操作部材は、前記コンタクトを挟んで前記第２の壁部に対向するように前記ボディに設けられており且つ当該第２の壁部に沿って第１の位置から第２の位置にかけて移動自在にされており、前記ボディの第２の壁部の操作部材対向面には、当該操作部材の移動方向に対して略直交する方向に向いた長尺体であり且つ前記シャッタの先端部を移動自在にガイドする第１のガイド部が設けら
れており、前記操作部材の第２の壁部対向面には、前記第１のガイド部に対向すると共に、当該第１のガイド部に対して斜め方向に向いた長尺体であり且つ前記シャッタの後端部を移動自在にガイドする第２のガイド部が設けられており、前記操作部材が第１の位置に位置したとき、前記シャッタの先端部が前記第１のガイド部の長さ方向の一端部に位置すると共に、前記シャッタの後端部が前記第２のガイド部の長さ方向の一端部に位置することにより、当該シャッタが前記挿入口を閉塞するようになっており、前記操作部材が第２の位置に位置したとき、前記シャッタの先端部が前記第１のガイド部の長さ方向の他端部に位置すると共に、前記シャッタの後端部が前記第２のガイド部の長さ方向の他端部に位置することにより、当該シャッタが前記挿入口を開放するようになっている。
【００１４】
このような第２の接続装置による場合であっても、上記第１の接続装置と同様に前記シャッタが閉開するようになっている。
【００１５】
前記第２の接続装置は、２枚の前記シャッタを有し、前記操作部材の第２の壁部対向面に、２つの前記第２のガイド部が略対称に配設された構成とすることができる。この場合、前記第１のガイド部は、前記２枚のシャッタの先端部を各々移動自在にガイドするようになっており、前記２つの第２のガイド部は、前記２枚のシャッタの後端部を各々移動自在にガイドするようになっており、前記操作部材が第１の位置に位置したとき、前記２枚のシャッタの先端部が前記第１のガイド部の中間部に各々位置すると共に、前記２枚のシャッタの後端部が前記２つの第２のガイド部の長さ方向の一端部に各々位置することにより、当該シャッタが前記挿入口を閉塞するようになっており、前記操作部材が第２の位置に位置したとき、前記２枚のシャッタの先端部が前記第１のガイド部の長さ方向の両端部に各々位置すると共に、前記２枚のシャッタの後端部が前記２つの第２のガイド部の長さ方向の他端部に各々位置することにより、当該シャッタが前記挿入口を開放するようになっている。
【００１６】
このような第２の接続装置による場合であっても、上記第１の接続装置と同様に前記２枚のシャッタが閉開するようになっている。
【００１７】
前記コンタクトは、リード端子接続用の第１の接続部と、基板接続用の第２の接続部とを有しており、前記第１の接続部が、固定片と、弾性変形可能な可動片とを有した構成とすることができる。この場合、前記可動片は、前記固定片と間に前記リード端子を挿脱するための空間を有する把持部と、この把持部に連続し且つ前記固定片から離れる方向に屈曲又は湾曲した屈曲部又は湾曲部とを有している。前記操作部材の第２の壁部対向面には、片部材が設けられており、この片部材は、前記操作部材が第１の位置に位置したとき、前記屈曲部又は湾曲部を前記固定片に向けて押圧し、前記操作部材が第２の位置に位置したとき、前記屈曲部又は湾曲部の押圧を解除するようになっており、前記屈曲部又は湾曲部が前記片部材に押圧されると、前記把持部が前記固定片に近づく方向に移動して前記空間が閉じ、前記把持部と前記固定片との間で前記リード端子を挟持するようになっている。
【００１８】
このように操作部材を操作するだけで、前記シャッタの開閉と、前記コンタクトの可動片の把持部と固定片との間の空間の開閉とを同時に行うことができるので、リード端子を挿入口に挿入する際に、シャッタが邪魔になることがなく、且つシャッタの開閉の操作とは別に、前記可動片の把持部と前記固定片との間の空間の開閉のための操作が別途必要になることもない。よって、防塵のためにシャッタを設けたとしてもリード端子を簡単にコンタクトに接続することができる。しかも、前記可動片の把持部と前記固定片との間に形成された空間に、前記リード端子を挿入した後、前記操作部材を操作することにより前記リード端子が前記可動片の把持部と前記固定片との間で挟持されるようになっていることから、従来例の第３の接続装置のように、リード端子でコイルスプリングであるコンタク
トを押圧し、当該リード端子を挿入するための空間を形成する必要がなく、当該押圧によるリード端子やその電子部品が破損するのを防止することができる。
【００１９】
或いは、前記電子部品が２つのリード端子を有する場合、２つの前記コンタクトが前記第１のガイド部の長さ方向に並べて配置されている。この場合、前記操作部材の第２の壁部対向面には、２つの片部材が設けられており、前記コンタクトは、リード端子接続用の第１の接続部と、基板接続用の第２の接続部とを有しており、前記第１の接続部は、固定片である固定片と、弾性変形可能な可動片である可動片とを有した構成とすることができる。この可動片は、前記固定片との間に前記リード端子を挿脱するための空間が設けられた把持部と、この把持部に連続し且つ前記固定片から離れる方向に屈曲又は湾曲した屈曲部又は湾曲部とを有している。一方の片部材は、前記操作部材が第１の位置に位置したとき、一方のコンタクトの可動片の屈曲部又は湾曲部を当該一方のコンタクトの固定片に向けて押圧し、前記操作部材が第２の位置に位置したとき、前記屈曲部又は湾曲部の押圧を解除するようになっており、他方の片部材は、前記操作部材が第１の位置に位置したとき、他方のコンタクトの可動片の屈曲部又は湾曲部を当該他方のコンタクトの固定片に向けて押圧し、前記操作部材が第２の位置に位置したとき、前記屈曲部又は湾曲部の押圧を解除するようになっており、前記屈曲部又は湾曲部が前記片部材に各々押圧されると、前記把持部が前記固定片に近づく方向に移動して前記空間が閉じ、前記把持部と前記固定片との間で前記リード端子を挟持するようになっている。
【００２０】
このように操作部材を操作するだけで、前記シャッタの開閉と、前記２つのコンタクトの可動片の把持部と固定片との間の空間の開閉とを同時に行うことができるので、リード端子を挿入口に挿入する際に、シャッタが邪魔になることがなく、且つシャッタの開閉の操作とは別に、前記可動片の把持部と前記固定片との間の空間の開閉のための操作が別途必要になることもない。よって、防塵のためにシャッタを設けたとしてもリード端子を簡単に前記挿入口から挿脱することができる。しかも、前記可動片の把持部と前記固定片との間に形成された空間に、前記リード端子を挿入した後、前記操作部材を操作することにより前記リード端子が前記可動片の把持部と前記固定片との間で挟持されるようになっていることから、従来例の第３の接続装置のように、リード端子でコイルスプリングであるコンタクトを押圧し、当該リード端子を挿入するための空間を形成する必要がなく、当該押圧によるリード端子やその電子部品が破損することもなくなる。
【００２１】
前記第１の接続部は、２つの前記固定片が、前記可動片の両側に配設された構成とすることができる。或いは、２つの前記可動片が、前記固定片の両側に配設された構成とすることもできる。
【００２２】
このように２つの固定片及び可動片の３点、或いは２つの可動片及び固定片の３点で、前記リード端子を挟持するようにすれば、当該リード端子を安定して保持することができる。
【００２３】
前記ボディは、前記コンタクトの第２の接続部を前記基板の回路パターンに接触可能に突出させるための開放部と、この開放部の縁部に前記第２の接続部の突出方向に向けて設けられており且つ前記基板に係止される係止爪とを有した形状とすることができる。
【００２４】
この場合、前記係止爪を前記基板に係止させると、前記コンタクトの第２の接続部が前記基板の回路パターンに接触し、電気的に接続される。よって、前記コンタクトを簡単に基板に電気的に接続することができる。
【００２５】
前記コンタクトの第２の接続部を前記基板の回路パターンに弾性接触可能な形状とすることができる。このように前記第２の接続部を前記回路パターンに弾性接触させれば、安
定した電気的な接続を図ることができる。
【００２６】
前記コンタクトの第２の接続部は、前記基板のスルーホールに挿入可能な直線状の部位とすることもできるし、リード線が圧着可能な形状とし、当該リード線を通じて基板と接続可能とすることもできる。
【００２７】
前記ボディは、前記コンタクトを収容する収容部を有している。この場合、前記操作部材は、前記収容部を覆うように設けられ、前記ボディの一部をなすカバーであって、前記第１壁部を有している。
【００２８】
前記ボディの第２の壁部に、前記第１の壁部の挿入口に連続し且つ前記電子部品が収容される収容凹部が設けられている場合には、前記シャッタは、前記挿入口を開閉する第１のシャッタ部と、この第１のシャッタ部に略直交するように設けられており且つ前記収容凹部を開閉可能な第２のシャッタ部とを有していることが好ましい。この場合、前記シャッタにより前記挿入口だけでなく、前記収容凹部も塞ぐことができるので、前記収容凹部を設けたことによる防塵効果の低下を防止することができる。
【発明の効果】
【００２９】
本発明の接続装置による場合、前記シャッタを開状態にして前記リード端子を前記挿入口に挿入した後、前記操作部材を操作して前記シャッタを閉状態にしておけば、前記挿入口からの塵や埃の侵入を防止することができる。よって、ボディ内に塵や埃が侵入することにより生じるコンタクトの接続不良やショートを防止することができる。しかも、前記操作部材を操作するだけで、前記シャッタの開閉を行うことができるので、前記挿入口からリード端子の出し入れが簡単になり、使い勝手の良い接続装置となっている。
【発明を実施するための最良の形態】
【００３０】
以下、本発明の実施の形態に係る接続装置について図面を参照しながら説明する。図１は本発明の実施の形態に係る接続装置を示す斜視図であって、（ａ）がシャッタ閉状態を示す図、（ｂ）がシャッタ開状態を示す図、（ｃ）が熱陰極蛍光ランプのリード端子が接続された状態を示す図、図２は同装置を示す正面図であって、（ａ）がシャッタ閉状態を示す図、（ｂ）がシャッタ開状態を示す図、図３は同装置の概略的分解斜視図、図４は同装置の概略的Ａ−Ａ断面図であって、（ａ）は操作部材が上側位置に位置した状態を示す図、（ｂ）は操作部材が下側位置に位置した状態を示す図、図５は同装置のボディの本体部及び収容部を示す図であって、（ａ）が正面図、（ｂ）が背面図、図６は同装置の操作部材を示す図であって、（ａ）が正面図、（ｂ）が背面図、図７は同装置のシャッタを示す図であって、（ａ）が斜視図、（ｂ）が平面図、図８は同装置のコンタクトを示す図であって、（ａ）が斜視図、（ｂ）が側面図、図９は同装置の操作部材の第１のガイド部とボディの第２のガイド部とシャッタとの位置関係を示す模式図であって、（ａ）は操作部材が下側位置に位置した状態を示す図、（ｂ）は操作部材の操作過程を示す図、（ｃ）は操作部材が上側位置に位置した状態を示す図、図１０は同装置の２つの熱陰極蛍光ランプが接続可能に設計変更された例を示す概略的斜視図、図１１は同装置のコンタクトの設計変更例を示す概略的側面図であって、（ａ）は第２の接続部が基板のスルーホールに挿入可能な板状体である例を示す図、（ｂ）は第２の接続部が基板の回路パターンに実装可能な鍵状体である例を示す図、（ｃ）は第２の接続部がリード線が圧着可能な形状である例を示す図である。
【００３１】
ここに掲げる接続装置は、熱陰極蛍光ランプ１０（電子部品）用のソケットであって、図示しない液晶テレビ（電子機器）の基板２０に実装されるものである。この接続装置は、図１乃至３に示すように、熱陰極蛍光ランプ１０の２本のリード端子１２が挿脱可能な挿入口１３１ａを有するボディ１００と、このボディ１００に収容されており且つ２本の
リード端子１２に各々接触可能な２つのコンタクト２００と、ボディ１００の挿入口１３１ａを開閉するための２枚のシャッタ３００とを備えている。以下、詳しく説明する。
【００３２】
熱陰極蛍光ランプ１０は、ランプ部１１と、このランプ部１１から突出した２本のリード端子１２とを有している。
【００３３】
ボディ１００は、図１乃至図５に示すように、側面視略Ｌ字状の本体部１１０と、この本体部１１０の水平部上に設けられ、２つのコンタクト１００を収容する収容部１２０と、この収容部１２０に下側位置から上側位置にかけて移動自在に取り付けられる操作部材１３０とを有している。
【００３４】
本体部１１０は、前記水平部と、この水平部に直角に設けられた垂直部とを有している。この本体部１１０の垂直部の上端部の中央部には、熱陰極蛍光ランプ１０のランプ部１１を収容する収容凹部１１１が当該垂直部の全幅方向に渡って設けられている。即ち、収容凹部１１１は本体部１１０の垂直部を幅方向に貫通している。
【００３５】
この収容凹部１１１の両上縁部には、ランプ部１１を当該収容凹部１１１内に導き易くためのテーパ面が設けられている。また、収容凹部１１１には、図２及び図５に示すように、熱陰極蛍光ランプ１０の２本のリード端子１２を各々ガイドする２つの溝部１１１ａ１を有するガイド板１１１ａが設けられている。
【００３６】
また、収容凹部１１１の収容部側の両側縁部の上端には、図１及び図５（ｂ）に示すように、２つの切欠き部１１２が各々設けられている。この切欠き部１１２には、操作部材１３０の２つの係止凸部１３１ｂが各々嵌まり込む。
【００３７】
本体部１１０の垂直部の収容部側の壁部（即ち、第２の壁部）の切欠き部１１２の２つの下方部分には、収容凹部１１１の両テーパ面の傾斜に沿って２つの第２のガイド部１１３が略対称になるように各々設けられている。この第２のガイド部１１３は、操作部材１３０の第１のガイド部１３４に対向し当該且つ第１のガイド部１３４に対して斜め方向に向いた長溝であって、２枚のシャッタ３００の第２のガイド凸部３４０を当該第２のガイド部１１３の下端部（即ち、長さ方向の一端部）から上端部（即ち、長さ方向の他端部）にかけて各々移動自在にガイドする。
【００３８】
本体部１１０の水平部の中央部には、図４に示すように、収容部１２０内に通じる開放部１１４が設けられている。この開放部１１４は、収容部１２０の仕切板１２３の下端に連続する仕切壁１１６により２つのセクションに区切られている。この開放部１１４の２つのセクションは、収容部１２０に収容された２つのコンタクト１００の第２の接続部２２０を各々下方に突出させるための開口である。また、本体部１１０の水平部の長さ方向の両外壁部（即ち、開放部１１４の両縁部）には、電子機器の基板２０に係止される２つの係止爪１１５が各々設けられている。
【００３９】
収容部１２０は、図３、図５及び図４に示すように、本体部１１０の水平部の長さ方向の両端部上に各々立設された２枚の側面板１２１と、この側面部１２１の端部同士を繋ぐ背面板１２２と、本体部１１０の垂直部の収容部側の壁部、側面部１２１及び背面板１２２により形成される空間を２つのコンタクト収容空間αに区切る仕切板１２３とを有している。
【００４０】
２つの側面板１２１の長さ方向の一端部は、本体部１１０の垂直部の収容部側の壁部の両端部に各々連続している。この側面板１２１の長さ方向の他端部の外面には、操作部材１３０の２つのスリット１３２ａに上下方向に移動自在に嵌まり込む２つのガイド突起１
２１ａが各々設けられている。
【００４１】
背面板１２２の高さ寸法は、２つの側面板１２１の高さ寸法に比べて低くなっている。これにより、第２のガイド部１１３と、操作部材１３０の第１のガイド部１３４とが、図９に示すように、互いに向かい合うようになっている。また、背面板１２２の上端部の両端部には、図５（ｂ）に示すように、操作部材１３０の２つの片部材１３５が各々上下方向に移動自在に挿入される２つの開口部１２２ａが設けられている。
【００４２】
２つのコンタクト収容空間αは、上側が開放され、下側が開放部１１４の２つのセクションに各々通じている。
【００４３】
操作部材１３０は、図１、図３及び図６に示すように、２枚のシャッタ３００の開閉を操作するための部材であり且つ収容部１２０の２つのコンタクト収容空間αの上側を覆うカバーである。この操作部材１３０は、略矩形状の天壁部１３１（即ち、第１の壁部）と、この天壁部１３１の長さ方向の両端部に設けられた２つの側壁部１３２と、天壁部１３１の幅方向の後端部の側壁部１３２の端部の間に設けられた背壁部１３３とを有している。
【００４４】
天壁部１３１は、収容部１２０の２つのコンタクト収容空間αの上側を２枚のシャッタ３００と共に塞ぐ板状体である。この天板部１３１は、操作部材１３０が下側位置に位置したとき、本体部１１０の垂直部の収容部側の壁部（即ち、第２の壁部）に直交する。天壁部１３１の幅方向の一端部の中央部には、略矩形状の挿入口１３１ａが設けられている。この挿入口１３１ａは、本体部１１０の収容凹部１１１と連通し且つ本体部１１０の２つのコンタクト収容空間αに連通している。即ち、挿入口１３１ａを通じて、熱陰極蛍光ランプ１０の２つのリード端子１２が２つのコンタクト収容空間αに出し入れ可能になっている。
【００４５】
また、挿入口１３１ａの両内縁部には、収容凹部１１１のテーパ面と連続するテーパ部が各々設けられている。挿入口１３１ａの両外縁部には、操作部材１３０が下側位置に位置したときに、本体部１１０の２つの切欠き部１１２に嵌合する２つの係止凸部１３１ｂが各々設けられている。
【００４６】
２つの側壁部１３２には、上下方向に向けて略矩形状の２つのスリット１３２ａが各々設けられている。このスリット１３２ａに２つのガイド突起１２１ａが各々移動自在に嵌まり込む。
【００４７】
図１（ａ）及び（ｃ）に示すように、ガイド突起１２１ａがスリット１３２ａの上方に位置しているときには、操作部材１３０は、天壁部１３１が収容部１２０の天板部の開放部を塞ぐ下側位置（即ち、第１の位置）に位置する。一方、図１（ｂ）に示すように、ガイド突起１２１ａがスリット１３２ａの下方に位置しているときには、操作部材１３０は、天壁部１３１が収容部１２０の２つのコンタクト収容空間αの上側を開放する上側位置（即ち、第２の位置）に位置する。このようにして、操作部材１３０が収容部１２０に下側位置から上側位置にかけて上下動可能に取り付けられている。
【００４８】
背壁部１３３の本体部１１０の垂直部の収容部側の壁部に対向する面（即ち、第２の壁部対向面）には、図６（ａ）に示すように、挿入口１３１ａの下方に第１のガイド部１３４が設けられている。また、背壁部１３３の本体部１１０の垂直部の収容部側の壁部に対向する面には、第１のガイド部１３４の両端部の下方位置に２つの片部材１３５が各々設けられている。
【００４９】
第１のガイド部１３４は、操作部材１３０の移動方向と直交する方向に向いた長溝部１３４ａと、この長溝部１３４ａの上端面に各々連続して設けられた４つの略半円状の係止穴部１３４ｂとを有している。
【００５０】
長溝部１３４ａは、２枚のシャッタ３００の４つの第１のガイド凸部３３０を当該長溝部１３４ａの中間部から両端部にかけて移動自在にガイドする。２枚のシャッタ３００が長溝部１３４ａの中間部に位置したとき、当該シャッタ３００の４つの第１のガイド凸部３３０が４つの係止穴部１３４ｂに各々嵌まり込む。これにより、２枚のシャッタ３００が挿入口１３１ａを閉塞した閉塞位置でロックされる。
【００５１】
２つの片部材１３５は、図４に示すように、収容部１２０の２つの開口部１２２ａに各々上下動自在に挿入される。２つの片部材１３５の下端部の内側部は、下方に向けて漸次減少するテーパ部が各々形成されている。２つの片部材１３５は、操作部材１３０が下側位置に位置したとき、２つのコンタクト１００の可動片２１１の湾曲部２１１ｃを内側に各々押圧する位置に位置する。一方、２つの片部材１３５は、操作部材１３０が上側位置に位置したとき、前記テーパ部により２つのコンタクト１００の湾曲部２１１ｃとの干渉しない位置に位置し、当該湾曲部２１１ｃに対する押圧を解除する。
【００５２】
２枚のシャッタ３００は、図１、図２、図３及び図７に示すように、第１のシャッタ部３１０と、この第１のシャッタ部３１０の後端部に直角に設けられた第２のシャッタ部３２０と、第１のシャッタ部３１０の先端部に設けられた２つの第１のガイド凸部３３０と、第２のシャッタ部３２０の前面上に設けられた第２のガイド凸部３４０と、第１のシャッタ部３１０の上面の後端に設けられた第３のガイド凸部３５０とを各々有している。即ち、第１のガイド凸部３３０が計４つ、第２のガイド凸部３４０が計２つある。
【００５３】
一方のシャッタ３００の第１のシャッタ部３１０は、図４に示すように、挿入口１３１ａの略半分を開閉する矩形状の板体である。他方のシャッタ３００の第１のシャッタ部３１０は、図４に示すように、挿入口１３１ａの残り略半分を開閉する矩形状の板体である。一方の第１のシャッタ部３１０の内側端部には、図４（ｂ）に示すように、上方に向けて漸次低減する傾斜面３１１ａが設けられている。他方の第１のシャッタ部３１０の内側端部には、図４（ｂ）に示すように、下方に向けて漸次低減する傾斜面３１１ｂが設けられている。傾斜面３１１ａと傾斜面３１１ｂとは、互いに合わさった状態で、両第１のシャッタ部３１０が一枚の板状になるようになっている。
【００５４】
一方のシャッタ３００の第２のシャッタ部３２０は、図２に示すように、収容凹部１１１の上側部の略半分を開閉する板体である。他方のシャッタ３００の第２のシャッタ部３２０は、図２に示すように、収容凹部１１１の上側部の残り半分を開閉する矩形状の板体である。なお、両第２のシャッタ部３２０に収容凹部１１１の上側部のみを閉塞させることにより、両第２のシャッタ部３２０が、閉じた状態で、２つのコンタクト２００の第１の接続部２１０に各々接続された２本のリード端子１２に各々干渉しないようにしている。
【００５５】
４つの第１のガイド凸部３３０は、図９に示すように、操作部材１３０の第１のガイド部１３４の中間部から両端部かけて各々移動自在に嵌まり込む円柱体である。４つの第１のガイド凸部３３０は、長溝部１３４ａの中間部に各々位置したとき、４つの係止穴部１３４ｂに各々嵌まり込み、係止される。
【００５６】
２つの第２のガイド凸部３４０は、本体部１１０の２つの第２のガイド部１１３の下端部から上端部かけて各々移動自在に嵌まり込む円柱体である。
【００５７】
即ち、４つの第１のガイド凸部３３０が第１のガイド部１３４の長溝部１３４ａの中間部に各々位置すると共に、２つの第２のガイド凸部３４０が２つの第２のガイド部１１３の下端部に各々位置したとき、２枚の第１のシャッタ部３１０が挿入口１３１ａを閉塞し、２枚の第２のシャッタ部３２０が収容凹部１１１を閉塞する前記閉塞位置に位置する。
【００５８】
一方、２つの第１のガイド凸部３３０が第１のガイド部１３４の長溝部１３４ａの一方の端部に、別の２つの第１のガイド凸部３３０が第１のガイド部１３４の長溝部１３４ａの他方の端部に各々位置すると共に、２つの第２のガイド凸部３４０が２つの第２のガイド部１１３の上端部に各々位置したとき、２枚の第１のシャッタ部３１０が挿入口１３１ａを開放し、２枚の第２のシャッタ部３２０が収容凹部１１１を開放する開放位置に位置する。
【００５９】
第３のガイド凸部３５０は、操作部材１３０の背壁部１３３に沿って移動する矩形状の凸部である。
【００６０】
２つのコンタクト２００は、図４及び図８に示すように、導電性を有した板バネであって、リード端子接続用の第１の接続部２１０と、２つの基板接続用の第２の接続部２２０と、第１、第２の接続部１１０の間に位置する中間部２３０とを各々有する。
【００６１】
中間部２３０は、矩形状の板状体であって、その幅寸法がボディ１００の収容部１２０のコンタクト収容空間αの長さ寸法と略同じになっている。この中間部２３０の両端部には一対の係止突起２３１が設けられている。この一対の係止突起２３１が収容部１２０のコンタクト収容空間αの両内壁面に係止されることにより、コンタクト２００がコンタクト収容空間α内で保持される。
【００６２】
２つの第２の接続部２２０は、中間部２３０の下端にその幅方向に並べて配設された横向き略Ｕ字状の弾性片である。この第２の接続部２２０の高さ寸法は、図２及び図４に示すように、中間部２３０が収容部１２０の収容空間αに係止された状態で、ボディ１００の開放部１１４の２つのセクションから各々突出する高さとなっている。
【００６３】
第１の接続部２１０は、中間部２３０の上端に間を空けて設けられた弾性変形可能な２つの可動片２１１と、この中間部２３０の上端の２つの可動片２１１の間に配設された固定片２１２とを有する。
【００６４】
固定片２１２は、直線状の板状体あって、その中央部が可動片２１１から離れる方向に折り曲げられている。
【００６５】
可動片２１１は、中間部２３０の上端に連続しており且つ固定片２１２から離れる方向に略く字状に折り曲げられた折曲部２１１ａと、この折曲部２１１ａの先端に連続する把持部２１１ｂと、この把持部２１１ｂの先端に連続する湾曲部２１１ｃとを有する。
【００６６】
折曲部２１１ａは、上側の直線部と、この上側の直線部に連続する下側の直線部とを有している。前記下側の直線部の長さ寸法は上側の直線部の長さ寸法より長くなっている。これにより、把持部２１１ｂが固定片２１２から離れる方向に傾斜している。
【００６７】
把持部２１１ｂは直線状の板状体である。この把持部２１１ｂは、自身の傾斜及び固定片２１２の折り曲げにより、当該固定片２１２との間に熱陰極蛍光ランプ１０の一方のリード端子１２を挿脱するための空間βが設けられている。
【００６８】
湾曲部２１１ｃは、固定片２１２から離れる方向に湾曲された略逆Ｕ字状の板状体であ
る。この湾曲部２１１ｃの先端部は、固定片２１２から離れる方向に更に湾曲している。
【００６９】
以下、このような構成の接続装置の組立手順について説明する。まず、２枚のシャッタ３００が対称になるように、当該シャッタ３００の第２のガイド凸部３４０をボディ１００の第２のガイド部１１３に各々挿入する。
【００７０】
この状態で、２枚のシャッタ３００の２つの第１のガイド凸部３３０と操作部材１３０の第１のガイド部１３４とを各々位置合わせをしつつ、当該操作部材１３０の２つの片部材１３５をボディ１００の２つの開口部１２２ａに各々挿入する。すると、２つの第１のガイド凸部３３０が第１のガイド部１３４に各々嵌まり込む。
【００７１】
これと共に、操作部材１３０の２つの側壁部１３２がボディ１００の２つのガイド突起１２１ａを乗り越える。これにより、操作部材１３０の２つのスリット１３２ａに２つのガイド突起１２１ａが各々嵌まり込む。
【００７２】
その後、操作部材１３０を上側位置に位置させる。そして、２つのコンタクト２００の可動片２１１の湾曲部２１１ｃの先端部を外側に向けた状態で、当該コンタクト２００を、ボディ１００の開放部１１４の２つのセクションに位置合わせしつつ各々挿入する。すると、２つのコンタクト２００の中間部２３０が２つのコンタクト収容空間αの両内壁面に係止され、当該コンタクト２００をボディ１００の収容部１２０の２つのコンタクト収容空間αに各々収容させる。これにより、２つのコンタクト２００がボディ１００内に第１のガイド部１３４の長さ方向に並べて配置される。
【００７３】
以下、このように組み立てられた接続装置の使用方法及び各部の動作について説明する。まず、操作部材１３０を下方位置に位置させた状態で、ボディ１００の２つの係止爪１１５を基板２０の図示しない係止孔に位置合わせをしつつ挿入し、係止させる。すると、ボディ１００の開放部１１４の２つのセクションから各々突出した２つのコンタクト２００の第２の接続部２２０が基板２０の図示しない回路パターンに各々押し付けられ、弾性接触する。これにより、２つのコンタクト２００が基板２０の回路パターンに各々電気的に接続される。
【００７４】
その後、図１に示すように、操作部材１３０を下側位置から上側位置にかけて移動させる。すると、操作部材１３０の２つの片部材１３５がボディ１００の２つの開口部１２２ａ内を上方に移動する。これにより、図４（ａ）に示すように、２つの片部材１３５が２つのコンタクト１００の可動片２１１の湾曲部２１１ｃに干渉しない位置に移動する。これにより、２つの片部材１３５による２つのコンタクト１００の可動片２１１の湾曲部２１１ｃに対する押圧が解除される。
【００７５】
すると、２つのコンタクト１００の可動片２１１が自身のバネ力により外側に向けて各々変位する。これにより、２つのコンタクト１００の可動片２１１と固定片２１２との間の２つの空間βが各々開く。
【００７６】
このとき、図９（ａ）、図９（ｂ）及び図９（ｃ）に順次示すように、一方のシャッタ３００の２つの第１のガイド凸部３３０が、第１のガイド部１３４の長溝部１３４ａの下端面に押し上げられる。すると、一方のシャッタ３００の２つの第１のガイド凸部３３０が第１のガイド部１３４の一方側の２つの係止穴部１３４ｂから各々離脱する。そして、一方の第２のガイド凸部３４０が一方の第２のガイド部１１３の下端部から上端部にかけて斜めに移動すると共に、一方のシャッタ３００の２つの第１のガイド凸部３３０が第１のガイド部１３４の長溝部１３４ａの下端面上を、当該長溝部１３４ａの中間部から一方の端部にかけて摺動する。
【００７７】
これにより、一方のシャッタ３００の第１のシャッタ部３１０がボディ１００の挿入口１３１ａの略半部を開放すると共に、当該シャッタ３００の第２のシャッタ部３２０が収容凹部１１１の上側部の略半部を開放する。
【００７８】
これと共に、他方のシャッタ３００の２つの第１のガイド凸部３３０が、第１のガイド部１３４の長溝部１３４ａの下端面に押し上げられる。すると、他方のシャッタ３００の２つの第１のガイド凸部３３０が第１のガイド部１３４の他方側の２つの係止穴部１３４ｂから各々離脱する。そして、他方の第２のガイド凸部３４０が他方の第２のガイド部１１３の下端部から上端部にかけて斜めに移動すると共に、他方のシャッタ３００の２つの第１のガイド凸部３３０が第１のガイド部１３４の長溝部１３４ａの下端面上を、当該長溝部１３４ａの中間部から他方の端部にかけて摺動する。
【００７９】
これにより、他方のシャッタ３００の第１のシャッタ部３１０がボディ１００の挿入口１３１ａの残りの略半部を開放すると共に、当該シャッタ３００の第２のシャッタ部３２０が収容凹部１１１の上側部の残りの略半部を開放する。
【００８０】
その後、熱陰極蛍光ランプ１０のランプ部１１をボディ１００の収容凹部１１１に位置合わせをしつつ挿入する。これと共に、熱陰極蛍光ランプ１０の２本のリード端子１２が、ボディ１００の挿入口１３１ａから当該ボディ１００の２つのコンタクト収容空間αに各々挿入される。このとき、２本のリード端子１２が収容凹部１１１のガイド板１１１ａの２つの溝部１１１ａ１に各々ガイドされ、２つのコンタクト１００の可動片２１１と固定片２１２との間の２つの空間βに各々挿入される。
【００８１】
その後、操作部材１３０を上側位置から下側位置にかけて移動させる。すると、操作部材１３０の２つの片部材１３５がボディ１００の２つの開口部１２２ａ内を下方に移動する。これにより、図４（ｂ）に示すように、２つの片部材１３５が２つのコンタクト１００の可動片２１１の湾曲部２１１ｃを押圧する。
【００８２】
すると、２つのコンタクト１００の可動片２１１が内側に向けて各々変位し、当該可動片２１１と固定片２１２との間の２つの空間βが各々閉じる。これにより、２つの空間β内の２本のリード端子１２が、２つのコンタクト１００の可動片２１１と固定片２１２とにより各々挟持され、電気的に接続される。このとき、２本のリード端子１２は、後述するように閉じた２枚のシャッタ３００の第２のシャッタ部３２０の下方に各々位置する。
【００８３】
このとき、図９（ｃ）、図９（ｂ）及び図９（ａ）に順次示すように、一方のシャッタ３００の２つの第１のガイド凸部３３０が、第１のガイド部１３４の長溝部１３４ａの上端面に押し下げられる。すると、一方の第２のガイド凸部３４０が一方の第２のガイド部１１３の上端部から下端部にかけて斜めに移動すると共に、一方のシャッタ３００の２つの第１のガイド凸部３３０が第１のガイド部１３４の長溝部１３４ａの上端面上を、当該長溝部１３４ａの一方の端部から中間部にかけて摺動する。そして、一方のシャッタ３００の２つの第１のガイド凸部３３０が第１のガイド部１３４の一方側の２つの係止穴部１３４ｂに各々嵌まり込み、係止される。
【００８４】
これにより、一方のシャッタ３００の第１のシャッタ部３１０がボディ１００の挿入口１３１ａの略半部を塞ぐと共に、当該シャッタ３００の第２のシャッタ部３２０が収容凹部１１１の上側部の略半部を塞ぐ。
【００８５】
これと共に、他方のシャッタ３００の２つの第１のガイド凸部３３０が、第１のガイド部１３４の長溝部１３４ａの上端面に押し下げられる。これにより、他方の第２のガイド
凸部３４０が他方の第２のガイド部１１３の上端部から下端部にかけて斜めに移動すると共に、他方のシャッタ３００の２つの第１のガイド凸部３３０が第１のガイド部１３４の長溝部１３４ａの上端面上を、当該長溝部１３４ａの他方の端部から中間部にかけて摺動する。そして、他方のシャッタ３００の２つの第１のガイド凸部３３０が第１のガイド部１３４の他方側の２つの係止穴部１３４ｂに各々嵌まり込み、係止される。
【００８６】
これにより、他方のシャッタ３００の第１のシャッタ部３１０がボディ１００の挿入口１３１ａの残りの略半部を塞ぐと共に、当該シャッタ３００の第２のシャッタ部３２０が収容凹部１１１の上側部の残りの略半部を塞ぐ。
【００８７】
このような接続装置による場合、操作部材１３０を通じて２枚のシャッタ３００によるボディ１００の挿入口１３１ａ及び収容凹部１１１の開閉を操作することができるようになっている。このため、熱陰極蛍光ランプ１０の２本のリード端子１２を、挿入口１３１ａ及び収容凹部１１１からボディ１００の収容部１２０内に挿入し、２つのコンタクト２００に接続した後に、２枚のシャッタ３００でボディ１００の挿入口１３１ａ及び収容凹部１１１を閉塞することができる。よって、従来例と比べて塵や埃がボディ１００の収容部１２０内に侵入するのを低減することができ、前記塵や埃によりコンタクト２００の導通不良やショートが生じるのを防止することができる。
【００８８】
しかも、操作部材１３０を上下動させるだけで、２枚のシャッタ３００の閉開と、２つのコンタクト２００の可動片２１１と固定片２１２とによる２本のリード端子１２の挟持及びその解除とを同時に行うことができる。このため、２本のリード端子１２をボディ１００の挿入口１３１ａ及び収容凹部１１１に挿脱する際に、２枚のシャッタ３００が邪魔になることがない。よって、防塵のためにボディ１００に２枚のシャッタ３００を設けたとしても、２本のリード端子１２の挿脱を容易に行うことができるので、熱陰極蛍光ランプ１０の交換を容易に行うことができる。
【００８９】
更に、２本のリード端子１２を、２つのコンタクト２００の可動片２１１と固定片２１２との間の空間βに各々挿入した後、操作部材１３０を下方位置に位置させるだけで、当該２本のリード端子１２が２つのコンタクト２００の可動片２１１と固定片２１２との間で各々挟持され、接続されるようになっている。このため、従来例の第３の接続装置のように、リード端子でコイルスプリングであるコンタクトを押圧し、当該リード端子を挿入するための空間を形成する必要がなく、当該押圧による２本のリード端子１２やその熱陰極蛍光ランプ１０のランプ部１１が破損するのを防止することができる。
【００９０】
また、ボディ１００の係止爪１１５を基板２０の係止孔に係止させることにより、ボディ１００の開放部１１４の２つのセクションから各々突出した２つのコンタクト２００の４つの第２の接続部２２０が、基板２０の４つの回路パターンに各々弾性的に接触するようになっている。このため、半田接続を用いることなく、コンタクト２００を基板２０に簡単に接続することができ、その結果、低コスト化を図ることができる。
【００９１】
なお、ボディ１００については、コンタクトを収容可能であって、電子部品のリード端子が挿脱可能な挿入口が設けられた第１の壁部と、この第１の壁部と交差する第２の壁部とを少なくとも有する限りどのような設計変更例をしても構わない。
【００９２】
例えば、ボディ１００は、１つの熱陰極蛍光ランプ１０用のソケットのボディであると説明したが、複数の熱陰極蛍光ランプ１０用のソケット用のボディとして設計変更することが可能である。具体的には、図１０に示すように、ボディ１００の両端部に２つの挿入口１３１ａ、収容凹部１１１及び収容部１２０を各々設け、２つの熱陰極蛍光ランプ１０用のソケット用のボディとすることができる。このように設計変更すれば、複数の熱陰極
蛍光ランプ１０等を各々接続することが可能な接続装置を得ることができる。
【００９３】
ボディ１００の係止爪１１５については、前記ボディにコンタクトの第２の接続部の突出方向に向けて設けられており且つ基板に係止可能なものであれば、どのようなものを用いてもかまわない。また、係止爪１１５は基板２０の係止孔に係止されるとしたが、当該基板２０の端部や溝部に係止されるようにしてもかまわないし、基板２０上に設けた別部品に係止させることも可能である。また、基板２０に係止爪を設ける一方、ボディに前記係止爪が係止される係止部を設けることも一応可能である。
【００９４】
操作部材１３０については、ボディ１００の収容部１２０を覆うカバーであるとしたが、これに限定されるものではない。即ち、操作部材１３０は、少なくとも前記シャッタの開閉を操作するための部材であり、前記第２の壁部に対向するように前記ボディに設けられ且つ当該第２の壁部に沿って第１の位置から第２の位置にかけて移動自在にされているものであれば、どのように設計変更してもかまわない。
【００９５】
従って、操作部材１３０が上方位置に位置しているときに、シャッタ３００が挿入口１３１ａを閉塞し、下方位置に位置しているときに、シャッタ３００が挿入口１３１ａを開放するように構成することも一応可能である。
【００９６】
また、前記操作部材をシャッタ操作専用の操作部材とする場合には、別途コンタクト２００の可動片２１１の湾曲部２１１ｃを押圧する押圧部材を別途設けるようにしても良い。また、防塵の観点からは好ましくないが、湾曲部２１１ｃをボディ１００から露出させ、手で操作可能にすることも一応可能である。
【００９７】
第１のガイド部１３４については、長溝部１３４ａと、係止穴部１３４ｂとを有するとしたが、前記操作部材の移動方向に対して略直交する方向に向いた長尺体であり且つ後述するシャッタの先端部を移動自在にガイドし得るものである限り、どのようなものを用いても良い。例えば、前記第１のガイド部としては、長溝、長孔又は突脈等を用いることができる。前記第１のガイド部として前記突脈を用いる場合には、前記シャッタの先端部に当該突脈が嵌まり込む溝部や穴部を設ければ良い。
【００９８】
また、第１のガイド部１３４は  背壁部１３３の本体部１１０の垂直部の収容部側の壁部に対向する面（即ち、前記操作部材の第２の壁部対向面）に設けられているとしたが、これに限定されるものではない。即ち、前記第１のガイド部は、前記操作部材の第２の壁部対向面又はボディの第２の壁部の操作部材対向面に設けられていれば良い。
【００９９】
第２のガイド部１１３については、操作部材１３０の第１のガイド部１３４に対して斜め方向に向いた長溝であるとしたが、前記第１のガイド部に対向すると共に、当該第１のガイド部に対して斜め方向に向いた長尺体であり且つ前記シャッタの後端部を移動自在にガイドし得るものである限り、どのようなものを用いても良い。例えば、前記第２のガイド部としては、長溝、長孔又は突脈等を用いることができる。前記第２のガイド部として前記突脈を用いる場合には、前記シャッタの後端部に当該突脈が嵌まり込む溝部や穴部を設ければ良い。
【０１００】
また、２つの第２のガイド部１１３が、本体部１１０の垂直部の収容部側の壁部（即ち、前記ボディの第２の壁部）に設けられているとしたが、これに限定されるものではない。即ち、２つの前記第２のガイド部は、前記ボディの第２の壁部の操作部材対向面又は操作部材の第２の壁部対向面に略対称に配設されていれば良い。後述の如く、シャッタが一枚である場合には、前記第２のガイド部は一つあれば良い。
【０１０１】
片部材１３５については、操作部材の移動に応じて、コンタクト２００の可動片２１１の後述する湾曲部又は屈曲部を固定片に向けて押圧又はその押圧の解除をし得るものであれば、どのようなものを用いても良い。
【０１０２】
シャッタ３００の形状については、前記ボディの挿入口を開閉可能であり且つ前記第１、第２のガイド部にガイドされ得るものであれば、どのような設計変更例をしても構わない。また、ボディ１００の挿入口１３１ａを開閉するシャッタ３００は２枚であるとしたが、１枚であっても良い。
【０１０３】
前記シャッタが１枚である場合には、前記第２のガイド部及び片部材は一つあれば良い。この場合、前記操作部材が第１の位置に位置したとき、前記シャッタの先端部が前記第１のガイド部の長さ方向の一端部に位置すると共に、前記シャッタの後端部が前記第２のガイド部の長さ方向の一端部に位置することにより、当該シャッタが前記挿入口を閉塞するようになっており、前記操作部材が第２の位置に位置したとき、前記シャッタの先端部が前記第１のガイド部の長さ方向の他端部に位置すると共に、前記シャッタの後端部が前記第２のガイド部の長さ方向の他端部に位置することにより、当該シャッタが前記挿入口を開放するようになっている。
【０１０４】
コンタクト２００の第１の接続部２１０については、熱陰極蛍光ランプ１０のリード端子１２に接触し、電気的に接続され得るものであれば、どのようなものを用いても構わない。また、第１の接続部２１０は、２つの可動片２１１の間に固定片２１２が配設されているとしたが、２つの固定片２１２の間に可動片２１１が配設された構成とすることもできる。勿論、第１の接続部２１０は、一つの可動片２１１と、一つの固定片２１２とを有した構成とすることも可能である。
【０１０５】
可動片２１１については、前記固定片と間に前記リード端子を挿脱するための空間を有する把持部と、この把持部に連続し且つ前記固定片から離れる方向に屈曲又は湾曲した屈曲部又は湾曲部とを有する限り、どのように設計変更してもかまわない。
【０１０６】
固定片２１２については、上記実施例の形状に限定されるものではない。空間βは、固定片２１２が折り曲げられ且つ把持部２１１ｂが傾斜することにより形成されていたが、固定片２１２及び把持部２１１ｂの少なくとも一方を折り曲げる等のその他の周知の方法により形成可能であることは言う迄もない。
【０１０７】
コンタクト２００の第２の接続部２２０については、電子機器の基板２０に電気的に接続され得るものであれば、どのようなものを用いても構わない。例えば、基板２０にスルーホールが設けられている場合、図１１(ａ)に示すように、第２の接続部を前記スルーホールに挿入可能な直線状の板状体とすることができるし、図１１(ｂ)に示すように、第２の接続部を基板２０の回路パターンに接触し表面実装可能な鉤状体とすることもできるし、図１１(ｃ)に示すように、第２の接続部を基板２０の回路パターン又はその他の電子部品等と接続するためのリード線が圧着可能な形状とすることもできる。また、第２の接続部２２０を別体とし、第１の接続部１２０に接触させるようにすることも一応可能である。
【０１０８】
中間部２３０は省略可能であることは言う迄もない。
【０１０９】
なお、上記実施例では、上記接続装置は、熱陰極蛍光ランプ１０用のソケットであるとして説明したが、少なくとも一つのリード端子を有した電子部品が接続可能なコネクタ等のその他の接続装置に適応可能である。
【０１１０】
前記電子部品が一つのリード端子を有する冷陰極蛍光ランプ等の電子部品である場合には、コンタクト２００の第１の接続部２１０は、固定片２１２に替えて可動片２１１を有した構成とすることができる。この場合、２つの片部材１３５により３つの可動片２１１が各々押圧され、これらの可動片２１１の間で前記リード端子が挟持される。勿論、上述の通り、２つの可動片のみでリード端子を挟持する構成とすることも可能であり、且つ可動片の形状を設計変更し得ることも可能である。
【図面の簡単な説明】
【０１１１】
【図１】本発明の実施の形態に係る接続装置を示す斜視図であって、（ａ）がシャッタ閉状態を示す図、（ｂ）がシャッタ開状態を示す図、（ｃ）が熱陰極蛍光ランプのリード端子が接続された状態を示す図である。
【図２】同装置を示す正面図であって、（ａ）がシャッタ閉状態を示す図、（ｂ）がシャッタ開状態を示す図である。
【図３】同装置の概略的分解斜視図である。
【図４】同装置の概略的Ａ−Ａ断面図であって、（ａ）は操作部材が上側位置に位置した状態を示す図、（ｂ）は操作部材が下側位置に位置した状態を示す図である。
【図５】同装置のボディの本体部及び収容部を示す図であって、（ａ）が正面図、（ｂ）が背面図である。
【図６】同装置の操作部材を示す図であって、（ａ）が正面図、（ｂ）が背面図である。
【図７】同装置のシャッタを示す図であって、（ａ）が斜視図、（ｂ）が平面図である。
【図８】同装置のコンタクトを示す図であって、（ａ）が斜視図、（ｂ）が側面図である。
【図９】同装置の操作部材の第１のガイド部とボディの第２のガイド部とシャッタとの位置関係を示す模式図であって、（ａ）は操作部材が下側位置に位置した状態を示す図、（ｂ）は操作部材の操作過程を示す図、（ｃ）は操作部材が上側位置に位置した状態を示す図である。
【図１０】同装置の２つの熱陰極蛍光ランプが接続可能に設計変更された例を示す概略的斜視図である。
【図１１】同装置のコンタクトの設計変更例を示す概略的側面図であって、（ａ）は第２の接続部が基板のスルーホールに挿入可能な板状体である例を示す図、（ｂ）は第２の接続部が基板の回路パターンに実装可能な鍵状体である例を示す図、（ｃ）は第２の接続部がリード線が圧着可能な形状である例を示す図である。
【符号の説明】
【０１１２】
１００    ボディ
１１１    収容凹部
１１３    第２のガイド部
１２０    収容部
１３０    操作部材
１３１ａ  挿入口
１３４    第１のガイド部
２００    コンタクト
２１０    第１の接続部
２１１    可動片
２１１ｂ  把持部
２１１ｃ  湾曲部
２１２    固定片
３００    シャッタ
３１０    第１のシャッタ部
３２０    第２のシャッタ部
α        コンタクト収容空間
β        空間
【図１】
2008198479.tif 000003
【図２】
2008198479.tif 000004
【図３】
2008198479.tif 000005
【図４】
2008198479.tif 000006
【図５】
2008198479.tif 000007
【図６】
2008198479.tif 000008
【図７】
2008198479.tif 000009
【図８】
2008198479.tif 000010
【図９】
2008198479.tif 000011
【図１０】
2008198479.tif 000012
【図１１】
2008198479.tif 000013